(57)【特許請求の範囲】
【請求項１】
発光部と、口金部と、発光部が一端側より突出されるとともに口金部が他端側に突出されたベース部と、ベース部に内蔵され口金部により電源に接続されて発光部に点灯用の電力を供給する点灯回路部とを備えたランプが装着されるソケット部と、ベース部からの発光部の突出方向を軸方向とする筒状部を有し当該筒状部内にランプが位置する形でソケット部が取り付けられる器具本体とを備え、
器具本体には、ランプのベース部が挿入されるとともに内周面がベース部の外周面に当接される形の開口部を有し、器具本体の筒状部内をランプの発光部側と口金部側とに仕切る隔壁部が収納されていることを特徴とする照明器具。
【請求項２】
上記隔壁部は、上記開口部の内周面が、上記口金部よりも上記発光部に近い位置で上記ベース部の外周面に当接するように上記器具本体に収納されていることを特徴とする請求項１記載の照明器具。
【請求項３】
上記隔壁部を上記器具本体に固定する固定手段を備え、
固定手段は、上記隔壁部の外周面と当該外周面に対向する上記筒状部の内周面のいずれか一方に突設された固定用突部と、上記隔壁部の外周面と当該外周面に対向する上記筒状部の内周面のいずれか他方に形成され固定用突部が差し込まれる固定用空所部とで構成されてなることを特徴とする請求項１または２記載の照明器具。
【請求項４】
上記隔壁部は弾性体により形成されてなることを特徴とする請求項１〜３のうちいずれか１項記載の照明器具。
【請求項５】
上記隔壁部における上記開口部の周縁部には、上記開口部に連通するスリットが形成されていることを特徴とする請求項４記載の照明器具。
【発明の詳細な説明】
【技術分野】
【０００１】
本発明は、照明器具、特に点灯回路部が内蔵されたランプの使用に適した照明器具に関するものである。
【背景技術】
【０００２】
従来から、ランプとして白熱電球を使用する照明器具が提供されており、この種の照明器具としては図６に示すものが挙げられる（他に、特許文献１参照）。
【０００３】
図６に示す照明器具１００は、ねじ込み形のランプソケットよりなるソケット部１１０と、ソケット部１１０が収納される器具本体１２０とを備え、ソケット部１１０にはランプ２００が装着される。
【０００４】
器具本体１２０は、一面（図６における下面）が開口された断面円形状の箱体よりなり、ランプ２００を上記一面側に向ける形でソケット部１１０が収納されるボディ（外郭）１２１と、ソケット部１１０に装着されたランプ２００から放射された光をボディ１２１の上記一面側に反射する反射板１２２とを備える。反射板１２２は、上記一面側に向かうにつれて内径が徐々に大きくなる円筒状に形成され、内側にランプ２００が配置される。このような器具本体１２０は、器具本体１２０に設けたアーム１３０により建物（図示せず）の所定箇所に取り付けられる。
【０００５】
ここで、ランプ２００は、白熱電球ではなく、蛍光ランプを利用した、いわゆる電球形蛍光ランプであり、両端に電極が設けられた発光管を所定の形状（図示例では、一の発光管における中央部以外の部分が互いに同じ方でかつ互いに重なり合うように螺旋状に屈曲された二重螺旋状）に形成してなる発光部２１０と、ソケット部１１０に接続される円筒状の口金部２２０と、発光部２１０が一端側（図６における下端側）より突出されるとともに、口金部２２０が他端側（図６における上端側）より突出された断面円形状のベース部２３０と、ベース部２３０に内蔵され口金部２２０により電源に接続されて発光部２１０に点灯用の電力を供給する点灯回路部２４０とを備える（例えば、特許文献２参照）。
【０００６】
このようなランプ２００は、口金部２２０および点灯回路部２４０を備えているために、白熱電球の代替として使用することができる。ランプ２００の発光部２１０は、白熱電球よりも低消費電力で白熱電球と同等の明るさを得ることが可能な蛍光ランプにより構成されているから、このようなランプ２００を採用することで、白熱電球よりも低消費エネルギー化を図ることが可能である。
【特許文献１】特開平６−２８３０１８号公報
【特許文献２】特再２００３−８３３６０号公報
【発明の開示】
【発明が解決しようとする課題】
【０００７】
ところで、図６に示す照明器具１００では、ランプ２００は、円筒状の反射板１２２で囲まれている。そのため、ランプ２００の発光部２１０で発生した熱により熱された空気が、反射板１２２内にこもり、その結果、ランプ２００の温度が全体的に上昇してしまう（高温になってしまう）。ここで、ランプ２００では、白熱電球とは異なり、ベース部２３０に点灯回路部２４０が内蔵されているために、ランプ２００が高温になると、点灯回路部２４０を構成する電子部品や基板なども高温になり、その結果、ランプ２００の寿命が短くなるといった悪影響が生じるおそれがある。
【０００８】
上記の問題の解決策としては、反射板１２２の内径を大きくしたり、器具本体１２０に放熱用の隙間や孔を形成したりすることで、照明器具１００の放熱性を向上させることが考えられる。しかしながら、このような場合は、反射板１２２の内径が必要以上に大きくなったり、放熱用の隙間や孔などが器具本体１２０の外観に表れたりしてしまうため、照明器具の美観を損なうという別の問題が生じてしまう。
【０００９】
また、別の解決策としては、ランプ２００の発光部２１０が真下を向かないように、照明器具１００を傾けて配置することで、発光部２１０で熱された空気がベース部２３０側に移動し難くすることも考えられる。しかしながら、この場合は、照明器具１００による光の照射方向が制限される（照明器具１００の配置の自由度が低くなる）という別の問題が生じてしまう。
【００１０】
本発明は上述の点に鑑みて為されたもので、その目的は、美観を損なったり光の照射方向が制限されたりすることなく、点灯回路部の温度上昇を抑制することができる照明器具を提供することにある。
【課題を解決するための手段】
【００１１】
上述の課題を解決するために、請求項１の発明では、発光部と、口金部と、発光部が一端側より突出されるとともに口金部が他端側に突出されたベース部と、ベース部に内蔵され口金部により電源に接続されて発光部に点灯用の電力を供給する点灯回路部とを備えたランプが装着されるソケット部と、ベース部からの発光部の突出方向を軸方向とする筒状部を有し当該筒状部内にランプが位置する形でソケット部が取り付けられる器具本体とを備え、器具本体には、ランプのベース部が挿入されるとともに内周面がベース部の外周面に当接される形の開口部を有し、器具本体の筒状部内をランプの発光部側と口金部側とに仕切る隔壁部が収納されていることを特徴とする。
【００１２】
請求項１の発明によれば、器具本体の筒状部内が隔壁部によってランプの発光部側と口金部側とに仕切られているので、隔壁部がない場合に比べれば、ランプの発光部で発生した熱が空気を介してベース部に伝熱され難くなるから、ベース部の温度上昇を抑制することができ、その結果、ベース部に内蔵された点灯回路部の温度上昇を抑制することができる。また、器具本体に放熱用の孔や隙間を設けたり、ランプの発光部が真下を向かないように照明器具を傾けて配置したりする必要がなくなるから、美観を損なったり光の照射方向が制限されたりすることもない。
【００１３】
請求項２の発明では、請求項１の発明において、上記隔壁部は、上記開口部の内周面が、上記口金部よりも上記発光部に近い位置で上記ベース部の外周面に当接するように上記器具本体に収納されていることを特徴とする。
【００１４】
請求項２の発明によれば、開口部の内周面がランプのベース部の外周面に、発光部よりも口金部に近い位置で当接する場合に比べれば、ランプの発光部で発生した熱により加熱された空気に触れるベース部の面積（表面積）が小さくなるから、ベース部に内蔵された点灯回路部の温度上昇をより効果的に抑制することができる。
【００１５】
請求項３の発明では、請求項１または２の発明において、上記隔壁部を上記器具本体に固定する固定手段を備え、固定手段は、上記隔壁部の外周面と当該外周面に対向する上記筒状部の内周面のいずれか一方に突設された固定用突部と、上記隔壁部の外周面と当該外周面に対向する上記筒状部の内周面のいずれか他方に形成され固定用突部が差し込まれる固定用空所部とで構成されてなることを特徴とする。
【００１６】
請求項３の発明によれば、隔壁部を器具本体に容易に固定することができる。
【００１７】
請求項４の発明では、請求項１〜３のうちいずれか１項の発明において、上記隔壁部は弾性体により形成されてなることを特徴とする。
【００１８】
請求項４の発明によれば、ランプのベース部を隔壁部の開口部に挿入し易くなるので、ランプをソケット部に着脱する作業が容易に行えるようになる。
【００１９】
請求項５の発明では、請求項４の発明において、上記隔壁部における上記開口部の周縁部には、上記開口部に連通するスリットが形成されていることを特徴とする。
【００２０】
請求項５の発明によれば、ランプのベース部の外周形状が、開口部の開口形状より大きい場合でも、スリットによって開口部の周縁部が変形し易くなっているから、ランプのベース部を開口部に挿入することができ、また、ランプのベース部の開口部への挿入作業が容易に行えるようになる。
【発明の効果】
【００２１】
本発明は、ランプの発光部で発生した熱が空気を介してベース部に伝熱され難くなるから、ベース部に内蔵された点灯回路部の温度上昇を抑制することができるという効果を奏し、しかも、器具本体に放熱用の孔や隙間を設けたり、ランプの発光部が真下を向かないように照明器具を傾けて配置したりする必要がなくなるから、美観を損なったり光の照射方向が制限されたりすることもないという効果を奏する。
【発明を実施するための最良の形態】
【００２２】
（実施形態１）
本実施形態の照明器具１は、例えば、住宅や、店舗、舞台、スタジオなどで利用されるスポットライトとして用いられる。照明器具１は、図１に示すように、ランプ２００が装着されるソケット部２と、ソケット部２が取り付けられる器具本体（ランプハウス）３とを備え、器具本体３には、ランプ２００の点灯回路部２４０を熱から保護するため（すなわち防熱用）の隔壁部４が備えられる。なお、以下の説明では、図１における下方を照明器具１の前方、図１における上方を照明器具１の後方として説明する。
【００２３】
ランプ２００は、図６に示すものと同様に、発光部２１０、口金部２２０、ベース部２３０、および点灯回路部２４０を有するものであるから、ランプ２００については同一の符号を付して説明を省略する。なお、ランプ２００としては、発光部２１０が蛍光ランプにより形成されたものに限定されず、例えばＬＥＤや有機ＥＬ素子などの点灯回路部２４０を必要とするものを採用することができる。
【００２４】
ソケット部２は、例えば、ねじ込み形のランプソケットであり、磁器などにより円筒状に形成されたソケット本体２０を備え、当該ソケット本体２０に、ランプ２００の口金部２２０に対応する規格の端子部（図示せず）が内蔵される。このソケット部２のソケット本体２０の内側にランプ２００の口金部２２０をねじ込むことによって、口金部２２０と上記端子部とが電気的に接続され、ソケット部２を介してランプ２００に給電が可能となる。なお、ソケット部２の上記端子部には商用電源などの外部電源に接続するための電源線（図示せず）が接続される。
【００２５】
器具本体３は、図１〜図３に示すように、ソケット部２を収納するボディ（外郭）５に、ランプ２００から放射された光を器具本体３の前方に反射する反射板６と、反射板６およびソケット部２をボディ５に固定する取付台７とを収納して構成される。なお、ボディ５や取付台７は、亜鉛鋼板やステンレス鋼板などの金属材料により形成され、反射板６は、アルミニウムなどの金属材料やＰＢＴなどの合成樹脂材料などにより形成される。ただし、上記の例はあくまでも一例であって、上記の材料に限定する趣旨ではない。
【００２６】
ボディ５は、前後方向を中心軸方向とし後端側から前端側に向かうにつれて内径が徐々に大きくなる円筒状の側壁部５０と、側壁部５０の後端側の開口を閉塞する後壁部５１とを備えた、有底筒状に形成される。側壁部５０の後端側には、照明器具１を建物内の所定位置に取り付けるためのアーム８の取り付けに使用される取付孔部５０ａが開口する。
【００２７】
ここで、アーム８は、一端側が建物内の所定位置に取り付けられる長棒状の支持腕部８０と、支持腕部８０の他端側に回転自在（例えば、器具本体３の前後方向に直交する方向が回転軸方向となる形に回転自在）に枢着された可動部８１とを備え、可動部８１に器具本体３が取り付けられる。したがって、本実施形態の照明器具１では、アーム８の支持腕部８０に対して可動部８１を変位させることによって、光の照射方向を変更することが可能である。
【００２８】
取付台７は、互いに平行する一対の取付片７０，７１と、一対の取付片７０，７１を連結する連結片７２とを有する断面コ字形に形成される。取付台７は、一方（後方）の取付片７０をボディ５の後壁部５１の前面側にネジ止めなどにより固定することで、ボディ５に取り付けられる。この場合において、取付台７は、連結片７２を側壁部５０の取付孔部５０ａより外部に臨ませる形でボディ５に固定される。取付台７の連結片７２には、アーム８の可動部８１が、ネジ止めなどにより固定される。また、ソケット部２は、一対の取付片７０，７１間に位置する形で、一方の取付片７０にネジ止めなどにより固定することで、取付台７に取り付けられる。取付台７の他方（前方）の取付片７１には、図３に示すように、ランプ２００の口金部２２０を挿通可能な口金用孔部７１ａが形成されており、当該口金用孔部７１ａを通して、ランプ２００の口金部２２０をソケット部２に差し込むことができる。
【００２９】
反射板６は、前後方向を中心軸方向とする円筒状の反射部６０と、反射部６０の後端側の開口を閉塞する取付板６１とを一体に備える。反射部６０は、ランプ２００の発光部２１０を囲う前側筒部６０ａと、ランプ２００のベース部２３０を囲う後側筒部６０ｂとを有する。前側筒部６０ａの内径は、後端側から前端側に向かうにつれて徐々に大きくなっており、これによって、ランプ２００の発光部２１０から放射された光を前方に反射する。後側筒部６０ｂの内径は一様な値であり、前側筒部６０ａの後端側における内径と等しい。後側筒部６０ｂの前端側には、図２および図３に示すように、隔壁部４の固定に使用される一対の固定用空所部６２が形成される。本実施形態における固定用空所部６２は、矩形状の孔である。取付板６１の中央には、ランプ２００の口金部２２０が貫挿される円形状の貫挿孔６１ａが開口する。取付板６１は、貫挿孔６１ａと他方の取付片７１の口金用孔部７１ａとが連通する形で、他方の取付片７１の前面側にネジ止めなどにより固定され、これによって、反射板６が取付台７に取り付けられる。
【００３０】
本実施形態における器具本体３は、図１〜図３に示すように、ボディ５に、反射板６および取付台７を組み付けることによって構成される。この器具本体３においては、ソケット部２は、反射板６と底壁部５１との間に位置しており、ソケット部２にランプ２００を装着した際には、ランプ２００は、ベース部２３０からの発光部２１０の突出方向、すなわちランプ２００の長さ方向（図１における下方向）を、反射板６の中心軸方向に沿わせた形で、反射板６の内側に配置される。
【００３１】
したがって、本実施形態における器具本体３では、反射板６が、ベース部２３０からの発光部２１０の突出方向を軸方向（中心軸方向）とする筒状部であり、ソケット部２は当該筒状部である反射板６内にランプ２００が位置する形で器具本体３に取り付けられている。
【００３２】
隔壁部４は、図３に示すように、ランプ２００のベース部２３０が挿入される開口部４０ａを中央に有する円環状の仕切部４０を備える。このような隔壁部４は、弾性体（例えばシリコーンゴムなどのエラストマ）により形成される。また、隔壁部４に用いる弾性体としては、弾性体のなかでも熱伝導性がより低いものを採用することが好ましい。
【００３３】
仕切部４０の外径は、仕切部４０の外周面が反射部６０の後側筒部６０ｂの内周面と全周に亘って当接するような大きさ（後側筒部６０ｂの内径よりやや小さい値）としている。一方、開口部４０ａの開口形状（仕切部４０の内周形状）は、ベース部２３０の外周形状（図示例では真円形状）とほぼ同形状（本実施形態では、開口部４０ａは、ベース部２３０の外径よりやや大きい内径の円形状）であり、これによって、ベース部２３０を開口部４０ａに挿入した状態では、開口部４０ａの内周面がベース部２３０の外周面に略全周に亘って当接するようにしている。また、仕切部４０には、仕切部４０の径方向を長手方向とするとともに、開口部４０ａと連通する複数（図示例では４つ）のスリット４０ｂが形成される。また、４つのスリット４０ｂは、仕切部４０をその周方向に４等分する位置に形成される。
【００３４】
このような仕切部４０の前面側の外縁部には、当該外縁部を一周する形（円筒形）の周壁部４１が一体に突設される。周壁部４１の外径は仕切部４０の外径に等しく、周壁部４１の外周面には、一対の固定用突部４２が一体に突設される。一対の固定用突部４２は、周壁部４１の中心軸に直交する面内において、当該中心軸に対して点対称となる位置に形成される。
【００３５】
固定用突部４２は、厚み方向が仕切部４０の周壁部４１の中心軸方向（すなわち仕切部４０の厚み方向）と同方向である矩形板状に形成される。固定用突部４２は、反射板６に設けた固定用空所部６２に圧入可能な形に形成される。
【００３６】
また、固定用突部４２の厚み方向両面それぞれには、突起４２ａがそれぞれ突設される。突起４２ａは、固定用空所部６２に差し込んだ固定用突部４２が、当該固定用空所部６２より抜けてしまうことを防止するためのものである。突起４２ａは、周壁部４１側とは反対側の面が斜辺となった断面直角三角形に形成されており、これによって、固定用突部４２を固定用空所部６２に差し込む際には、突起４２ａが変形し易く（突出量が少なくなるように変形し易く）なって、固定用突部４２を固定用空所部６２に差し込む作業が容易になる。一方、固定用突部４２を固定用空所部６２に差し込んだ後には、突起４２ａが元に形に復帰することで、突起４２ａが反射板６の外周面側における固定用空所部６０ｃの縁部に引っ掛かり、これによって固定用突部４２を固定用空所部６２より抜け難くする。
【００３７】
上述した隔壁部４は、一対の固定用突部４２それぞれを反射板６の一対の固定用空所部６２それぞれに差し込むことによって、反射板６に固定され、これによって器具本体３に固定される（図３参照）。隔壁部４を反射板６に固定した際には、隔壁部４の外周面は、反射板６の後側筒部６０ｂの内周面に当接される。なお、本実施形態では、隔壁部４の一対の固定用突部４２と、反射板６に設けられ一対の固定用突部４２それぞれが差し込まれる一対の固定用空所部６２とによって、隔壁部４を反射板６に固定する固定手段が構成される。
【００３８】
上述したソケット部２および隔壁部４が収納された器具本体３にランプ２００を取り付けるには、ランプ２００の口金部２２０を、隔壁部４の開口部４０ａ、反射板６の取付板６１の貫挿孔６１ａ、取付台７１の口金用孔部７１ａを通して、ソケット部２に差し込めばよい。ランプ２００を器具本体３に取り付ける際には、ランプ２００のベース部２３０を隔壁部４の開口部４０ａ内に挿入する必要があるが、隔壁部４は弾性体により形成されてなるので、ベース部２３０を開口部４０ａに挿入する際に、開口部４０ａの周縁部が容易に変形するから、ベース部２３０を開口部４０ａに挿入し易く、ランプ２００をソケット部２に装着する作業が容易に行える。このような点はランプ２００をソケット部２から取り外す際においても同様である。
【００３９】
さらに、隔壁部４における開口部４０ａの周縁部（すなわち仕切部４０）に、開口部４０ａに連通するスリット４０ｂが形成されているので、ランプ２００のベース部２３０の外周形状が、開口部４０ａの開口形状より大きい場合でも、スリット４０ｂによって開口部４０ａの周縁部が変形し易くなっているから、ランプ２００のベース部２３０を開口部４０ａに容易に挿入することができる。
【００４０】
上述したようにして、ランプ２００を器具本体３に取り付けた状態（器具本体３に収納されたソケット部２に装着した状態）では、図１に示すように、ランプ２００の発光部２１０およびベース部２３０は反射板６の内側に位置しており、ベース部２３０は隔壁部４の開口部４０ａに挿入されている。
【００４１】
ここで、隔壁部４の開口部４０ａの内周面はベース部２３０の外周面に当接し、また、隔壁部４の外周面は反射板６の後側筒部６０ｂの内周面に当接するから、この隔壁部４によって、反射板６の内部は、ランプ２００の発光部２１０側と口金部２２０側とに仕切られる。その結果、反射板６の内部は、前側筒部６０ａと隔壁部４とで囲まれる空間部（前側空間部）と、後側筒部６０ｂと隔壁部４とで囲まれる空間部（後側空間部）とに２分され、上記前側空間部と上記後側空間部との間における空気の移動は隔壁部４によって遮られる。つまり、上記後側空間部には、発光部２１０により熱され比較的高温になった空気が流入しない。
【００４２】
上述したように本実施形態の照明器具１は、ランプ２００が装着されるソケット部２と、ベース部２３０からの発光部２１０の突出方向を軸方向とする筒状の反射板６を有し当該反射板６内にランプ２００が位置する形でソケット部２が取り付けられる器具本体３とを備え、器具本体３には、ランプ２００のベース部２３０が挿入されるとともに内周面がベース部２３０の外周面に当接される形の開口部４０ａを有し、器具本体３の反射板６内をランプ２００の発光部２１０側と口金部２２０側とに仕切る隔壁部４が収納されている。
【００４３】
そして、本実施形態の照明器具１によれば、器具本体３の反射板６内が隔壁部４によってランプ２００の発光部２１０側と口金部２２０側とに仕切られているので、隔壁部４がない場合（図６に示す従来例）に比べれば、ランプ２００の発光部２１０で発生した熱により加熱された空気に触れるベース部２３０の面積（表面積）が小さくなり、ランプ２００の発光部２１０で発生した熱が空気を介してベース部２３０に伝熱され難くなるから、ベース部２３０の温度上昇を抑制することができ、その結果、ベース部２３０に内蔵された点灯回路部２４０の温度上昇を抑制することができる。また、器具本体３に放熱用の孔や隙間を設けたり、ランプ２０の発光部２１０が真下を向かないように照明器具１を傾けて配置したりする必要がなくなるから、美観を損なったり光の照射方向が制限されたりすることもない。
【００４４】
ところで、本実施形態の照明器具１では、隔壁部４を後側筒部６０ｂにおける前端側に設けてあり、これによって、開口部４０ａの内周面がランプ２００のベース部２３０の外周面に口金部２２０よりも発光部２１０に近い位置で当接するようにしている。このようにすれば、開口部４０ａの内周面がランプ２００のベース部２３０の外周面に発光部２１０よりも口金部２２０に近い位置で当接する場合に比べれば、ランプ２００の発光部２１０で発生した熱により加熱された空気に触れるベース部２３０の面積（表面積）が小さくなるから、点灯回路部２４０の温度上昇をより効果的に抑制することができる。
【００４５】
また、隔壁部４を器具本体３に固定するにあたっては、固定用突部４２を反射板６の固定用空所部６２に差し込むだけでよいから、隔壁部４を器具本体３に容易に固定することができる。また、隔壁部４は弾性体により形成されてなるので、ランプ２００のベース部２３０を隔壁部４の開口部４０ａに挿入し易くなるから、ランプ２００をソケット部２に着脱する作業が容易に行えるようになる。また、隔壁部４における開口部４０ａの周縁部には、開口部４０ａに連通するスリット４０ｂが形成されているので、スリット４０ｂによって開口部４０ａの周縁部が変形し易くなっているから、ランプ２００のベース部２３０の外周形状が、開口部４０ａの開口形状より大きい場合でもベース部２３０を開口部４０ａに挿入することができ、また、ランプ２００のベース部２３０の開口部４０ａへの挿入作業が容易に行えるようになる。
【００４６】
なお、本実施形態の照明器具は、あくまでも本発明の一実施形態に過ぎないものであって、本発明の技術的範囲を本実施形態のものに限定する趣旨ではなく、本発明の趣旨を逸脱しない範囲での変更は当然に行える。例えば、本実施形態の照明器具１では、隔壁部４に設けた固定用突部４２と反射板６（すなわち器具本体３側）に設けた固定用空所部６２とによって隔壁部４を器具本体３に固定する固定手段を構成しているが、固定用突部４２を反射板６に設け、固定用空所部６２を隔壁部４に設けるようにしてもよい。すなわち、隔壁部４を器具本体３に固定する固定手段は、隔壁部４の外周面と当該外周面に対向する筒状部（反射板６）の内周面のいずれか一方に突設された固定用突部４２と、隔壁部４の外周面と当該外周面に対向する筒状部（反射板６）の内周面のいずれか他方に形成され固定用突部４２が差し込まれる固定用空所部６２とで構成されていればよい。また、本実施形態においては、固定用空所部６２は、矩形状の孔であるが、窪みであってもよい。
【００４７】
また、器具本体３や、反射板６の形状は、照明器具１の使用態様に応じて適宜変更することができる。また、本実施形態では、本発明の技術思想を適用した照明器具としてスポットライトを例示しているが、これは本発明をスポットライトに限定する趣旨ではなく、例えば、ダウンライトなどのその他の種々の照明器具に適用することができる。以上述べた点は、後述する実施形態２においても同様である。
【００４８】
（実施形態２）
本実施形態の照明器具１は、器具本体３および隔壁部４の構成が実施形態１と異なっており、その他の構成については実施形態１と同様であるから、同様の構成については同一の符号を付して説明を省略する。
【００４９】
本実施形態における隔壁部４は、図５に示すように、固定用突部４２を備えていない点で実施形態１と異なっており、その他の構成については実施形態１と同様であるから、同様の構成については同一の符号を付して説明を省略する。
【００５０】
本実施形態における器具本体３は、ボディ５と取付台７とを備えている点は実施形態１と同様であるが、実施形態１とは異なり反射板６を備えていない。また、本実施形態におけるボディ５は、側壁部５０の形状が実施形態１と異なる。本実施形態における側壁部５０は、隔壁部４の外径（仕切部４０の外径）より内径が大きい前端部５０ｂと、隔壁部４の外径より内径が小さい後端部５０ｃとを連続一体に備えた円筒状である。これによって、側壁部５０の内周面には、段差が形成される。
【００５１】
この側壁部５０内には、前端側の開口より隔壁部４が挿入される。隔壁部４は、圧入や接着などによって、ボディ５（器具本体３）に固定される。隔壁部４を器具本体３に固定した際には、隔壁部４の外周面は、側壁部５０の前端部５０ｂの内周面に当接される。ところで、隔壁部４は、仕切部４０の後面側における外縁部が側壁部５０の後端部５０ｃの前端面に当接する位置まで、側壁部５０内に挿入される。したがって、後端部５０ｃの長さ（側壁部５０の内周面の段差の位置）によって、隔壁部４の位置が決定される。本実施形態においても実施形態１と同様に、開口部４０ａの内周面がランプ２００のベース部２３０の外周面に、口金部２２０よりも発光部２１０に近い位置で当接するようにしており、これによって、点灯回路部２４０の温度上昇をより効果的に抑制するようにしている。
【００５２】
本実施形態における器具本体３は、図５に示すように、ボディ５に、取付台７を組み付けることによって構成される。この器具本体３においては、ソケット部２にランプ２００を装着した際には、ランプ２００は、ベース部２３０からの発光部２１０の突出方向（図５における下方向）を、ボディ５の側壁部５０の中心軸方向に沿わせた形で、側壁部５０の内側に配置される。したがって、本実施形態における器具本体３では、ボディ５が、ベース部２３０からの発光部２１０の突出方向を軸方向（中心軸方向）とする筒状部であり、ソケット部２は当該筒状部であるボディ５内にランプ２００が位置する形で器具本体３に取り付けられている。
【００５３】
上述した本実施形態における器具本体３にランプ２００を取り付けるには、ランプ２００の口金部２２０を、隔壁部４の開口部４０ａおよび取付台７１の口金用孔部７１ａを通して、ソケット部２に差し込めばよい。上述したようにしてランプ２００を器具本体３に取り付けた状態（器具本体３に収納されたソケット部２に装着した状態）では、図５に示すように、ランプ２００の発光部２１０およびベース部２３０はボディ５の側壁部５０の内側に位置しており、ベース部２３０は隔壁部４の開口部４０ａに挿入される。
【００５４】
ここで、隔壁部４の開口部４０ａの内周面はベース部２３０の外周面に当接し、また、隔壁部４の外周面は側壁部５０の前端部５０ｂの内周面に当接するから、この隔壁部４によって、ボディ５内は、ランプ２００の発光部２１０側と口金部２２０側とに仕切られる。その結果、ボディ５の内部は、側壁部５０の前端部５０ｂと隔壁部４とで囲まれる空間部（前側空間部）と、側壁部５０の後端部５０ｃと隔壁部４とで囲まれる空間部（後側空間部）とに２分され、上記前側空間部と上記後側空間部との間における空気の移動は隔壁部４によって遮られる。
【００５５】
したがって、本実施形態の照明器具１においても、実施形態１と同様に、ベース部２３０に内蔵された点灯回路部２４０の温度上昇を抑制することができ、しかも美観を損なったり光の照射方向が制限されたりすることもない。
【００５６】
なお、本実施形態では、器具本体３のボディ５が上記筒状部を構成し、上記実施形態１では反射板６が上記筒状部を構成しているが、このことは当該筒状部をボディ５や反射板６に限定する趣旨ではなく、器具本体３に上記筒状部に相当する部分があればよい。
【図面の簡単な説明】
【００５７】
【図１】実施形態１の照明器具の概略断面図である。
【図２】同上の照明器具の分解斜視図である。
【図３】同上の照明器具の一部を切り欠いた斜視図である。
【図４】同上における隔壁部の斜視図である。
【図５】実施形態２の照明器具の概略断面図である。
【図６】従来例の照明器具の概略断面図である。
【符号の説明】
【００５８】
１    照明器具
２    ソケット部
３    器具本体
４    隔壁部
６    反射板（筒状部）
４０ａ  開口部
４０ｂ  スリット
４２    固定用突部
６２    固定用空所部
２００    ランプ
２１０    発光部
２２０    口金部
２３０    ベース部
２４０    点灯回路部
【図１】
0005054598.tif 000002
【図２】
0005054598.tif 000003
【図３】
0005054598.tif 000004
【図４】
0005054598.tif 000005
【図５】
0005054598.tif 000006
【図６】
0005054598.tif 000007